(57)【要約】【課題】本発明はカメラに使用するケーブルレリーズのコード等のパーツを簡便かつスマートに収納することを目的としたケーブルレリーズ収納ストラップである。【解決手段】ストラップのショルダー部分に沿ってファスナーを重ね合わせることでその隙間にケーブルレリースのコードが収納できるスペースを確保することが可能となった。【選択図】図２
2004145231.tif 000002
【特許請求の範囲】
【請求項１】
カメラ用ストラップのショルダーベルト面にファスナーの両サイド布部を利用してケーブルレリーズのコードを平滑に収納するためのスペースを設け、さらにリモコンを収納するための筒状の収納カバーを設けたことを特徴としたカメラ用ケーブルレリーズの収納ストラップ。
【発明の詳細な説明】
【０００１】
【発明の属する技術分野】
本発明はカメラを撮影する際、シャッターの遠隔操作を行う時使用するケーブルレリーズを収納することのできる専用のストラップに関するものである。
【０００２】
【従来の技術】
従来、三脚を利用して写真撮影を行う場合、シャッターボタンを押すときのぶれを防ぐためにケーブルレリーズを使用して遠隔操作にてシャッターを押していた。
しかし、ケーブルレリーズはカメラ本体とは別部品でしかも収納状態が小さいために家に置き忘れたり、撮影現場に置き忘れて紛失することが多く困っていた。
さらにケーブルレリーズをカメラにセッティングした状態ではケーブルレリーズのコードが長いためにカメラのストラップや三脚のハンドル等に絡まって撮影の邪魔になったりうっかり引っ掛けて三脚が転倒することもあった。
それらを防ぐための従来技術としては実開平２−２９０３７を認めることができる。
【０００３】
上記の従来技術はカメラのストラップ端部に設けられた半筒状の収納体にケーブルレリーズのシャツター部と巻き取ったコードを収納体に収めるものである。
【０００４】
上記収納体の構造はカメラス用トラップの端部に半円筒形状に設けられ、収納部の内部はコードが貫通するための孔が設けられたシャッター部の収納スペースとコード収納に仕切られている。
【０００５】
上述した　従来技術のを使用する際は初めケーブルレリーズのジャックをシャッター部の収納体の底部に設けられた孔から通しておく。
【０００６】
ケーブルレリーズを実際に使用する時はレリーズコードの先端にあるジャックをカメラ本体のシャッターボタン用の端子に差し込み、もう一方のシャッターボタンは手に持ってスタンバイする。
【０００７】
撮影終了後ケーブルレリーズを収納する際はカメラからジャックを外し、いったんジャック側のコードを引くことでレリーズのシャッター部が自動的に収納体に収めることができる。
【０００８】
シャッター部が確実に収納されたら次にコードを任意の大きさに巻きつけてもう一方のコード用の収納スペースに収めて蓋を閉める。
【０００９】
【発明が解決しようとする課題】
上述した従来技術のケーブルレリーズ収納具には使用上、次のような問題があった。
【００１０】
撮影時にはケーブルレリーズの長いコードが露出するためにカメラ本体や三脚周辺で絡まって撮影の邪魔になったり誤ってひっかけてしまうと三脚ごとカメラが転倒して破損の原因となっていた。
【００１１】
撮影終了後、ケーブルレリーズを収納する際、適当なサイズにコードを巻き取ることは手間がかかり特に夜間の撮影などでは手元が暗いので細かいセッティングや収納作業に手間がかかり不便であった。
【００１２】
このコード巻き取り作業を頻繁に行うとコード内に使用されている微細な金属線が断線し、ショートなど破損の恐れが生じる。
【００１３】
このコードの巻き取りサイズを正確に行わないと収納部にきれいに収納できず、収納体からコードが飛び出した状態となり蓋がしずらく体裁よく収めることができない、。
【００１４】
カメラのストラップは肩に下げたときショルダー部か゛多くの人の目に触れるために単にカメラを携帯するための実用性だけでなくカメラ愛好家としてのステータスを表現するのでファッション性の要素もある。
【００１５】
それだけに肩に掛けた時、ショルダー部に設けられた半筒状の収納ポケットは人目に目立つのでデザイン性が著しく損なわれる。
【００１６】
【発明が解決しようとする手段】
そこて゛本発明は以上のような問題点を解決し、ストラップ本来のデザイン性を損なうことなく、ケーブルレリーズの収納と取り出し作業を簡便かつスマートに行い紛失を防ぐものを提供するものある。
【００１７】
本発明はカメラ用ストラップ本体（１）にショルダー部分（２）の片側面を利用してファスナー（３）を形成する両サイドの布テープ部Ａ（５）とＢ（６）を利用してケーブルレリーズのコード部分を収納させることが可能な形態とし、さらに収納されたリモコンスイッチ側にはリモコンスイッチ部が収納するために最適なサイズの筒状の伸縮性繊維を設る。
【００１８】
もう一方のジャック側のひも部にも筒状の伸縮性繊維を設け、ジャック及びのコードを貫通させ、一体化することでレリーズのジャックとカメラをセッティングしたままの状態も可能である。
【００１９】
【発明の実施の形態】
以下、図の実施例に基づいて本発明を詳細に説明する。
図１は本発明のファスナーを閉じてケーブルレリーズのコードが収納されている状態の斜視図である。
図２は本発明のファスナーを開いてケーブルレリーズのコードが伸びた状態の斜視図である。
【００２０】
図１に示すように本発明はカメラのストラップにあるショルダー部分（２）にファスナー（３）を利用してその隙間にコード（７）の収納スペースとすることを特徴とする。
【００２１】
ストラップのショルダー部に沿ってファスナー（３）を構成する両サイドの布基材Ａ（５）とＢ（６）のそれぞれ外側端部を上記ショルダー部（２）の素材に縫製又は熱溶着等の方法にて接合し一体化させる。
【００２２】
上述の方法によりショルダー部（２）とファスナー（３）との間にはわずかな収納スペースが生じるのでこのスペースにケーブルレリーズのコード（７）を収納し、ファスナー端部に設けた孔からカメラ本体に差し込むジャック（１３）を通過させる。
【００２３】
上述の方法によってファスナー（３）を閉めた状態では図１に示すようにケーブルレリーズのコード（７）はショルダー部（２）に沿って完全に収納される。ファスナー（３）を開けると図２に示すようにコード（７）が出てきてリモコン（８）が延長される。
【００２４】
ショルダー部（２）のリモコンスイッチ（８）側には筒状に形成された伸縮性素材を設けることでリモコンスイッチの収納カバー（１０）となるのでケーブルレリーズを使用しないときはリモコンスイッチ（８）をカバーの中に収納しておくことができるのでぶらついたりしないために収納されていることは意識されない。
【００２５】
ショルダー部（３）のジャック側のひも部（１２）にも筒状の伸縮性素材にて形成された収納カバー（１１）を設けることでジャック側のコードと結束することができるのでコード（７）やジャック（１３）のぶらつきがなくなりジャック（１３）をカメラにセッティングした状態を保つことができる。
【００２６】
以上のような構造の本発明品を使用することで携帯時はケーブルレリーズの長いコード（７）やリモコンスイッチ（８）やジャック（１３）などがすべてストラップと一体化されるためにケーブルレリーズの存在は気づかれない。
【００２７】
通常、ストラップは常にカメラに接続されているので本発明品を使用する場合はまず収納カバー（１１）からジャック（１３）取り出してカメラのシャッタージャック穴に差す。次にリモコンスイッチ（８）を収納カバー（１０）からシャッターボタン（９）が見える程度出すか全体を出してシャッターを押す。
【００２８】
この時、ケーブルレリーズの長いコード（７）はショルダー部とーのファスナー部（３）の間に収納されている状態なのでぶらつくことはなく撮影の邪魔にならずシャッターチャンスに集中できる。
【００２９】
撮影状況によって三脚の足場が悪い場所などはカメラ本体から離れてシャッターを押さなければならない。
そんな時はファスナー（３）のスライダー部（４）を引いて開けることで図２のように自動的にコード（７）が出てくるのでカメラから離れた位置からでもシャッターボタン（９）を押すことが可能となる。
【００３０】
撮影終了後はファスナー（３）のスライダー部（４）を閉めることでコードは自動的に収納されシャッターリモコン（８）を収納カバー内（１０）に収めれば完了である。
【００３１】
【発明の効果】
本発明は以上説明したような形態で実施され、以下のような効果が生まれる。
【００３２】
コードの収納はいちいち巻かなくてもファスナーのスライダーを閉めるだけで自動的に収納されるので手間がからず暗い場所でもスピーディに収納できる。
【００３３】
収納の際にコードを巻きつける動作を行う必要がないのでコードの断線やその他破損を防げる。
【００３４】
通常の撮影ではファスナーを開けてコードを伸ばす必要がないので余分なコードがぶらついて誤って引っ掛けてカメラを転倒させてしまう危険がない。
【００３５】
コードを収納するスペースが出っ張らないので外観的には一般のストラップと変わらないのでスマートに収納できる。
そのためストラップ本来のデザイン性が損なわれることがない。
【００３６】
一度装着してしまえばストラップと一体化されるためにケーブルレリーズの携帯忘れや紛失を防止することができる。
【００３７】
比較的安価な材料と簡便な製造方法のために安価で写真愛好家に提供することができる。
【００３８】
【図面の簡単な説明】
【図１】本発明品のファスナーを閉じてケーブルリレーズのコードを収納した状態の斜視図である。
【図２】本発明のファスナー部を閉じてケーブルリレーズのリモコンのコードを状態の斜視図である。
【符号の説明】
１　カメラ用ストラップ本体
２　ショルダー部
３　アァスナー
４　ファスナーのスライダー
５　ファスナーのサイド布基材Ａ
６　ファスナーのサイド布基材Ｂ
７　レリーズのコード
８　リモコンスイッチ
９　シャッターボタン
１０リモコンスイッチの収納カバー
１１ジャック側のコードとストラップ側のひも部の結束カバー
１２ストラップのジャック側のひも部
１３カメラ本体に差し込むレリーズのジャック
１４ストラップのリモコン側のひも部
【図１】
2004145231.tif 000003
【図２】
2004145231.tif 000004